(57)【要約】【課題】無線通信装置をロック機構に予め組み込んでおいたとしても、ロック機構が機能していなければ、無線通信装置も機能させないようにすることができる遊技機用基板ケースを提供すること。【解決手段】カバー体２０とベース体３０とを拘束状態にするロック機構５０についてロック作業を行なうと、シールドケース７０の上面７０ａには、カバー体２０とベース体３０とを拘束状態にする際のワンウェイねじ５３の押圧力が作用されることになる。したがって、ワンウェイねじ５３の先端面５３ｃと有底穴５６の底部との間でシールドケース７０が圧縮され、やがてはそのストレスによってシールドケース７０が破壊されることとなる。この状態では、当該シールドケース７０に収容されたＲＦＩＤタグ６０が外方に開放され、当該ＲＦＩＤタグ６０のみがリーダと通信可能となる。【選択図】図５
2010137109.tif 000002
【特許請求の範囲】
【請求項１】
カバー体と、
前記カバー体に組み付けられて該カバー体とで収容空間を区画形成するベース体と、
前記カバー体と前記ベース体との組付状態において、前記カバー体と前記ベース体とを相互に拘束することで、前記カバー体と前記ベース体とが前記収容空間を開放する方向へ相対移動することを規制するロック機構と、
無線通信装置と、
前記無線通信装置を収容して、前記無線通信装置が外部と通信することを遮るシールドケースとを備え、
前記収容空間内に遊技制御用回路基板を収容するための遊技機用基板ケースにおいて、
前記ロック機構は、前記カバー体及び前記ベース体のうち何れか一方に設けられたロック孔と、他方に設けられたロック壁と、前記ロック孔に一端側が挿入され該挿入状態では軸方向の前記一端側にのみに進行可能となる軸状のロック部材と、を有し、
前記ロック機構は、
前記カバー体と前記ベース体との組付状態において、前記ロック部材の一端側が前記ロック孔に進入した状態で該ロック孔から突出する該ロック部材の他端側が前記ロック壁に当接係合することで前記カバー体と前記ベース体との相対移動を規制する拘束状態と、
前記拘束状態おける前記ロック部材が前記一端側へ進行して前記ロック壁との当接係合状態から離脱することで、前記カバー体と前記ベース体との相対移動を許容する解放状態とに状態変更可能であり、
前記シールドケースは、前記ロック部材が前記ロック孔に進入を開始する位置から前記ロック機構の拘束状態に対応する位置まで進行する過程で前記ロック部材の前記端面が通過する領域に配置されており、
前記ロック機構の拘束状態では、前記ロック部材の前記端面を介した前記ロック部材の押圧により前記シールドケースが破壊されて、前記無線通信装置が前記シールドケースの外方へ開放され、前記無線通信装置が外部と通信することが可能になることを特徴とする遊技機用基板ケース。
【発明の詳細な説明】
【技術分野】
【０００１】
本発明は、遊技機に備えられて遊技制御用回路基板を収容するための遊技機用基板ケースに関する。
【背景技術】
【０００２】
例えば、パチンコ機が備える遊技制御用回路基板は、大当り抽選や賞球の払い出しに関与するものであり、不正の対象となり易い。
従来、遊技制御用回路基板に対する不正を防止するため、遊技制御用回路基板を遊技機用基板ケースに収容するとともに、遊技機用基板ケースにロック機構を設けて該遊技機用基板ケースの開放を困難にするようになっている。さらに、近年においては、さらなる不正対策として、ＲＦＩＤ（Radio Frequency Identification）シールを遊技機用基板ケースに取り付けることが提案されている（例えば、特許文献１参照）。
【０００３】
特許文献１の技術においては、ＲＦＩＤシールを、遊技機用基板ケースの外表面であってカバー体とベース体との境界に貼り付けている。したがって、遊技機用基板ケースからＲＦＩＤシールを剥がそうとすると、或いはカバー体とベース体とを無理に相対移動させようとすると、ＲＦＩＤシールのアンテナが破壊されてＲＦＩＤシールはリーダとの通信が不可能になる。これより、遊技機用基板ケースが開封されたことを発見することができる。また、遊技機用基板ケースから一度剥がされたＲＦＩＤシールは再利用不可能になるので、剥がしたＲＦＩＤシールの不正使用も防止することができる。
【０００４】
【特許文献１】特開２０００−３３４１５４号公報
【発明の開示】
【発明が解決しようとする課題】
【０００５】
ところが、特許文献１の技術では、ＲＦＩＤシールが遊技機用基板ケースの外表面に露出して配置されるため、例えば、パチンコ機の組立時や搬送時等における、悪戯や損傷の問題があった。
【０００６】
また、上記特許文献１の技術では、シールの接着具合が悪かったり、剥離剤が使用されたりすると、ＲＦＩＤシールが上手く剥がされてアンテナが破壊しないことがあり、この剥がされたＲＦＩＤシールが不正使用されるおそれがあった。
本発明の目的の一つは、組立時や搬送時等における悪戯・損傷を防止できるとともに、開封するときには確実に無線通信装置を破壊できる遊技機用基板ケースを提供することにある。また、無線通信装置をロック機構に予め組み込んでおいたとしても、ロック機構が機能していなければ、無線通信装置も機能させないようにすることができる遊技機用基板ケースを提供することを、目的の一つとする。
【課題を解決するための手段】
【０００７】
請求項１の発明の遊技機用基板ケースは、カバー体及びベース体のうち何れか一方に設けられた有底穴であるロック孔と、他方に設けられたロック壁と、ロック孔に一端側が挿入され該挿入状態では軸方向の一端側にのみに進行可能となるとともに前記ロック孔の底部との間に密閉された空間を形成する軸状のロック部材とを有するロック機構を備えている。
【０００８】
ロック機構は、カバー体とベース体との組付状態において、ロック部材の一端側がロック孔に進入した状態でロック孔から突出するロック部材の他端側がロック壁に当接係合することでカバー体とベース体との相対移動を規制する拘束状態と、拘束状態おけるロック部材が一端側へ進行してロック壁との当接係合状態から離脱することで、カバー体とベース体との相対移動を許容する解放状態とに状態変更可能になっている。
【０００９】
そして、無線通信装置が収容されたシールドケースは、ロック機構のロック孔内に配置されている。したがって、遊技機用基板ケースの外表面に無線通信装置が露出しないので、例えば、遊技機の組立時や搬送時等における、悪戯や損傷から無線通信装置を守ることができる。
【００１０】
請求項１の発明の遊技機用基板ケースにおいて、無線通信装置はシールドケースに収容されており、ロック機構がロック状態になければ無線通信装置は外部との通信が遮られ通信が不可能となる。また、ロック孔内においてシールドケースは、ロック部材がロック孔に進入を開始する位置からロック機構の拘束状態に対応する位置まで進行する過程で該ロック部材の端面が通過する領域に配置されている。
【００１１】
そのため、シールドケースは、ロック機構の拘束状態では、端面を介したロック部材の押圧により破壊されて無線通信装置を外方へと開放する。よって、無線通信装置と、外部のリーダとの間で無線通信が可能となる。つまり、無線通信装置をロック機構に予め組み込んでおいたとしても、ロック機構が機能していなければ（ロック状態になければ）、無線通信装置も機能させないように（リーダと通信できないように）することができる。
【発明を実施するための最良の形態】
【００１２】
（実施形態）
本実施形態においては、ＲＦＩＤタグ６０を全てのロック機構５０（有底穴５６）に予め収容しておく場合に、マルチコード機能を有していないリーダを用いても混信の危惧がないように配慮した。以下、その点について説明する。なお、後述の発明１の実施形態と同一の箇所には同一の符号を付し、説明を省略する。
【００１３】
図５に示すように、ＲＦＩＤタグ６０は金属性のシールドケース７０に収容されている。シールドケース７０を金属性としているのは、ＲＦＩＤタグ６０及びリーダに設けられるアンテナ周辺の交信領域特性に影響を与える現象としての金属影響を利用するためである。そのため、シールドケース７０によって、リーダとＲＦＩＤタグ６０との間における電波の送受信が遮られて無線通信が不可能になる。ＲＦＩＤタグ６０を収容したシールドケース７０は、各ロック機構５０の有底穴５６にそれぞれ配置されている。
【００１４】
そして、有底穴５６内においてシールドケース７０は、ワンウェイねじ５３が有底穴５６に進入を開始する位置からロック機構５０の拘束状態に対応する位置まで進行する過程でワンウェイねじ５３の先端面５３ｃが通過する領域に配置されている。
【００１５】
そのため、４つのロック機構５０のうち、カバー体２０とベース体３０とを拘束状態にするロック機構５０についてロック作業を行なうと、シールドケース７０の上面７０ａには、カバー体２０とベース体３０とを拘束状態にする際のワンウェイねじ５３の押圧力が作用されることになる。したがって、ワンウェイねじ５３の先端面５３ｃと有底穴５６の底部との間でシールドケース７０が圧縮され、やがてはそのストレスによってシールドケース７０が破壊されることとなる。この状態では、当該シールドケース７０に収容されたＲＦＩＤタグ６０が外方に開放され、当該ＲＦＩＤタグ６０のみがリーダと通信可能となる。
【００１６】
（別例）
本発明は上記実施形態に限定されるものではなく、例えば上記各実施形態を以下のように変更してもよい。
【００１７】
（１）有底穴５６を貫通孔とすること。この場合、ＲＦＩＤタグ６０やシールドケース７０を確実に破壊するための支持面（ワンウェイねじ５３の先端面５３ｃとの対向面）として、例えばこの貫通孔の内周壁にＲＦＩＤタグ６０やシールドケース７０を係止するための段差を設けることが望ましい。
【００１８】
（２）カバー体側筒部５１に有底穴を設け、ベース体側筒部５２に貫通孔を設けること。
（３）カバー体２０とベース体３０とを軸で連結することで、両者の相対回動によって収容空間１１を開閉する構造とすること。
【００１９】
（４）カバー体側筒部５１をカバー体２０の内側に設けるとともに、ベース体側筒部５２をベース体３０の内側に設けること。言い換えれば、カバー体２０とベース体３０との組付状態において、カバー体側筒部５１とベース体５２とが収容空間１１内に位置するように構成すること。この場合、外部からのロック作業を可能にするために、例えば貫通孔５４の一方の開口を外部空間へ連通させておく必要がある。
【００２０】
（５）ロック部材として中実ピンを用いること。この場合、貫通孔５４及び有底穴５６と中実ピンとは嵌め合いの関係となっていることが望ましい。そして、例えば、中実ピンには、貫通孔５４への挿入状態において、中実ピンを挿入方向にのみに進行させることを可能にする係合片を設け、貫通孔５４には、この係合片と係合する係合部とを設けることで本実施形態と同様の効果を得ることができる。
【図面の簡単な説明】
【００２１】
【図１】発明１の実施形態の遊技機用基板ケースの平面図。
【図２】遊技機用基板ケースの側面図。
【図３】図１の１−１線断面図。
【図４】ロック機構の作用を説明する断面図。
【図５】実施形態の遊技機用基板ケースを示す図であり、ロック機構付近の断面図。
【符号の説明】
【００２２】
１０…遊技機用基板ケース、２０…カバー体、３０…ベース体、４０…遊技制御用回路基板、５０…ロック機構、５１ａ…内周壁（ロック壁）、５３…ワンウェイねじ（ロック部材）、５３ｃ…先端面（端面）、５６…有底穴（ロック孔）、６０…ＲＦＩＤタグ（無線通信装置）、７０…シールドケース
【００２３】
以下の事項を開示する。
（発明１）
カバー体と、前記カバー体に組み付けられて該カバー体とで収容空間を区画形成するベース体と、前記カバー体と前記ベース体との組付状態において、前記カバー体と前記ベース体とを相互に拘束することで、前記カバー体と前記ベース体とが前記収容空間を開放する方向へ相対移動することを規制するロック機構と、無線通信装置とを備え、前記収容空間内に遊技制御用回路基板を収容するための遊技機用基板ケースにおいて、前記ロック機構は、前記カバー体及び前記ベース体のうち何れか一方に設けられたロック孔と、他方に設けられたロック壁と、前記ロック孔に一端側が挿入され該挿入状態では軸方向の前記一端側にのみに進行可能となる軸状のロック部材と、を有し、前記ロック機構は、前記カバー体と前記ベース体との組付状態において、前記ロック部材の一端側が前記ロック孔に進入した状態で該ロック孔から突出する該ロック部材の他端側が前記ロック壁に当接係合することで前記カバー体と前記ベース体との相対移動を規制する拘束状態と、前記拘束状態おける前記ロック部材が前記一端側へ進行して前記ロック壁との当接係合状態から離脱することで、前記カバー体と前記ベース体との相対移動を許容する解放状態とに状態変更可能であり、前記ロック孔内において、前記ロック機構が前記拘束状態から前記解放状態へと状態変更する過程で前記ロック部材の前記一端側の端面が通過する領域に、前記無線通信装置が配置されており、前記無線通信装置は、前記ロック機構が前記拘束状態から前記解放状態に状態変更する過程で、前記端面を介した前記ロック部材の押圧により破壊されることを特徴とする遊技機用基板ケース。
【００２４】
発明１の遊技機用基板ケースにおいて、無線通信装置は、ロック孔にロック部材が挿入されて形成される密閉された空間において、ロック機構が拘束状態から解放状態へと状態変更する過程でロック部材の一端側の端面が通過する領域に配置されている。したがって、無線通信装置は、ロック機構が拘束状態から解放状態へと状態変更する過程で、前記端面を介したロック部材の押圧により確実に破壊される。
【００２５】
（発明２）
前記無線通信装置はシールドケースに収容され、前記ロック孔内において前記シールドケースは、前記ロック部材が前記ロック孔に進入を開始する位置から前記ロック機構の拘束状態に対応する位置まで進行する過程で該ロック部材の前記端面が通過する領域に配置されており、前記シールドケースは、前記ロック機構の拘束状態では、前記端面を介した前記ロック部材の押圧により破壊されて前記無線通信装置を外方へ開放することを特徴とする発明１記載の遊技機用基板ケース。
【００２６】
発明２の遊技機用基板ケースにおいては、無線通信装置がシールドケースに収容されており、ロック孔内においてシールドケースは、ロック部材がロック孔に進入を開始する位置からロック機構の拘束状態に対応する位置まで進行する過程で該ロック部材の端面が通過する領域に配置されている。
そのため、シールドケースは、ロック機構の拘束状態では、端面を介したロック部材の押圧により破壊されて無線通信装置を外方へと開放する。よって、無線通信装置と、外部のリーダとの間で無線通信が可能となる。つまり、無線通信装置をロック機構に予め組み込んでおいたとしても、ロック機構が機能していなければ（ロック状態になければ）、無線通信装置も機能させないように（リーダと通信できないように）することができる。
【００２７】
（発明１の実施形態）
本実施形態の遊技機用基板ケースは、遊技機としてのパチンコ機に対して、背面に取り付けて用いられる。以下、本実施形態の遊技機用基板ケースについて、図１〜図４にしたがって詳細に説明する。なお、図１は遊技機用基板ケースの平面図であり、図２は遊技機用基板ケースの側面図であり、図３は図１の１−１線断面図であり、図４はロック機構の作用を説明する断面図である。
【００２８】
図１及び図３に示すように、遊技機用基板ケース１０は、平面視で矩形状の外形を有するカバー体２０と、同じく平面視で矩形状の外形を有するベース体３０とを備えている。カバース体２０は、ベース体３０に組み付けられてこのベース体３０とで収容空間１１を区画形成する。収容空間１１には遊技制御用回路基板４０が収容されている（図3には図示していない）。遊技制御用回路基板４０は、プリント基板上にＣＰＵ、ＲＯＭ、ＲＡＭ等の複数の電気・電子部品が取り付けられてなるものである。遊技制御用回路基板４０は、パチンコ機の動作を制御するためのものであり、詳しくは大当り抽選や賞球払い出しに関する制御を行なう所謂主制御基板と呼ばれるものである。
【００２９】
図２に示すように、ベース体３０の両長辺部（紙面手前側の側部及び紙面奥側の側部（図２には表れていない））には、紙面左右方向に延びる壁３１が紙面上方に向かって突設されている。壁３１の外面には、壁３１に沿って紙面左右方向に延びるガイド溝３１ａが形成されている。カバー体２０の両長辺部（紙面手前側の側部及び紙面奥側の側部（図２には表れていない））には、紙面左右方向に延びるガイド突起２０ａが、カバー体２０の内側（収容空間１１側）に向かって突設されている。そして、カバー体２０は、ガイド突起２０ａをガイド溝３１ａに挿入係合することで、ガイド溝３１ａの案内により、ベース体３０に対して矢印方向（組付方向及び開放方向）へスライド移動が可能となっている。
【００３０】
図１〜図３に示すように、遊技機用基板ケース１０の一側部（図面では左側部）にはロック機構５０が備えられている。ロック機構５０は、カバー体２０とベース体３０との組付状態において、カバー体２０とベース体３０とを相互に拘束することで、カバー体２０とベース体３０とが収容空間１１を開放する方向へ相対的にスライド移動することを規制する。本実施形態においてロック機構５０は、遊技機用基板ケース１０の同一側部に４つが列設されている。以下、ロック機構５０について詳細に説明する。
【００３１】
図３に示すように、ロック機構５０は、カバー体２０の一短辺部（図面では左側部）に突設されたカバー体側筒部５１と、ベース体３０の一短辺部（図面では左側部）に突設されたベース体側筒部５２と、ロック部材としてのワンウェイねじ５３とを備えている。
【００３２】
カバー体側筒部５１には、その軸方向に延在する貫通孔５４が形成されている。貫通孔５４の内周壁５１ａ（ロック壁）には雌ねじが刻設されている。ベース体側筒部５２には、その軸方向に延在する有底穴５６（ロック孔）が形成されている。有底穴５６の内周壁５２ａには雌ねじが刻設されている。
【００３３】
そして、カバー体側筒部５１とベース体側筒部５２とは、カバー体２０とベース体３０との組付状態において互いに軸一致して一つの柱状をなす位置関係にあり、この軸一致状態で貫通孔５４と有底穴５６とは、内空間が連続するとともに内周壁５１ａの雌ねじと内周壁５２ａの雌ねじとが同一の螺旋上に存在するようになっている。
【００３４】
図１に示すように、ワンウェイねじ５３は、頭部５３ｂに形成された工具（例えばドライバ）との係合凹部が、周知のワンウェイ構造を有している。つまり、頭部５３ｂの係合凹部は、工具を一方向へ回転操作する場合にのみ当該工具と係合してトルクの受承を可能とし、逆に工具を他方向へ回転操作する場合には工具を空回りさせてトルクの受承を不能とする形状を有している。
【００３５】
さて、図３に示すように、ロック機構５０によってカバー体２０とベース体３０との相対移動を規制するには、カバー体２０とベース体３０との組付状態において、ワンウェイねじ５３の先端側を貫通孔５４（カバー体側筒部５１）の上方開口へと挿入し、さらにはワンウェイねじ５３を所定量だけ螺進させる。すると、図３に示す状態、つまりワンウェイねじ５３の先端側が有底穴５６内に位置しかつ、ワンウェイねじ５３の頭部５３ｂ側が貫通孔５４内に位置した状態となる。この状態では、カバー体側筒部５１とベース体側筒部５２との両者の軸ズレ方向への相対移動がワンウェイねじ５３の介在によって阻害されることになるので（ベース体側筒部５２に支持されたワンウェイねじ５３の頭部５３ｂがカバー体側筒部５１（貫通孔５４）の内周壁５１ａに当接するので）、結果としてカバー体２０とベース体３０とは、収容空間１１を開放する方向へ相対移動不能に拘束された状態となる。
【００３６】
次に、カバー体２０とベース体３０とを拘束状態から解放するには、カバー体側筒部５１とベース体側筒部５２とに跨って配置されたワンウェイねじ５３を、さらに所定量だけ螺進させる。すると、図４に示す状態、つまりワンウェイねじ５３の頭部５３ｂがカバー体側筒部５１（貫通孔５４）から離脱した状態となる。この状態では、カバー体側筒部５１とベース体側筒部５２とは両者の軸ズレ方向への相対移動がワンウェイねじ５３によって阻害されることはないので（ベース体側筒部５２に支持されたワンウエイネジ５３の頭部５３ｂがカバー体側筒部５１（貫通孔５４）の内周壁５１ａに当接しないので）、結果として、カバー体２０とベース体３０とは、収容空間１１を開放する方向へ相対移動可能な状態となる。よって、カバー体２０をベース体３０に対して開放方向へスライド移動させることで、遊技機用基板ケース１０から遊技制御用回路基板４０を取り出すことができる。
【００３７】
次に、この解放状態にあるケース体２０とベース体３０とを再度組み付け、さらには拘束状態とするには、ロックが解除されたロック機構５０（ワンウェイねじ５３が有底穴５６の底部側まで行き切ってしまったロック機構５０）とは別のロック機構５０を用いて、上述したロック作業を行なえばよい。
【００３８】
さて、発明１の遊技機用基板ケース１０には、不正防止対策として、前述したロック機構５０以外にも、ＲＦＩＤタグ６０が取り付けられている。ＲＦＩＤタグ６０は、半導体メモリとアンテナとを備える無線通信装置であって、この半導体メモリに書込・保持されたデータを、外部のリーダ（読取装置）によって非接触で読み出しできる情報媒体である。
【００３９】
ＲＦＩＤタグ６０には、個々のＲＦＩＤタグを唯一に特定することを目的として付与される識別番号または識別データとしての固有ＩＤが記憶されている。したがって、或るパチンコ機において、リーダで読み出したＲＦＩＤタグ６０のデータが当該パチンコ機に対して正当なものであれば、遊技機用基板ケース１０は正常な状態にあると判断できる。逆に、リーダで読み出したＲＦＩＤタグ６０のデータが正当でない場合や、データの読み出しが出来なかった場合には、遊技機用基板ケース１０が正常な状態にないと判断できる。
【００４０】
このようなＲＦＩＤタグ６０は、遊技機用基板ケース１０においてロック機構５０を利用して密閉収容されている。詳しくは、ＲＦＩＤタグ６０は、ロック機構５０の有底穴５６内に収容されている。有底穴５６内においてＲＦＩＤタグ６０は、カバー体２０とベース体３０とが拘束状態から解放状態へと状態変化する過程でワンウェイねじ５３の先端面５３ｃが通過する領域に配置されている。
【００４１】
したがって、カバー体２０とベース体３０とを拘束状態から解放状態へと状態変化させる際に、ワンウェイねじ５３の先端面５３ｃがＲＦＩＤタグ６０を押圧することになるので、該先端面５３ｃと有底穴５６の底部との間でＲＦＩＤタグ６０が圧縮され、やがてはそのストレスによって、アンテナや半導体メモリやその他の構成部品の少なくとも一つが破壊されることとなり、ＲＦＩＤタグ６０はリーダとの通信が不可能な状態となる。有底穴５６の底部はすり鉢状をなしており、破壊されたＲＦＩＤタグ６０はこの底部内に収容されることとなる。よって、このＲＦＩＤタグ６０の存在でワンウェイねじ５３の螺進が阻害されることはない。
【００４２】
なお、ＲＦＩＤタグ６０は、全てのロック機構５０（有底穴５６）に予め収容しておいてもよいし、カバー体２０とベース体３０とを拘束状態にするロック機構５０にのみ収容し、当該ロック機構５０が解放状態とされて次のロック機構５０を機能させる場合に、その時点で当該ロック機構５０に収容するようにしてもよい。
【００４３】
特に前者の場合には、複数のＲＦＩＤタグ６０がリーダと通信可能な状態となってしまうため、リーダへ送信する送信波が相互に影響し合って混信する、相互干渉が起きる可能性がある。したがってこの場合には、リーダとして、その交信領域内にある複数のＲＦＩＤタグ６０を認識して、これら各々のＲＦＩＤタグ６０からデータを読み出すマルチコード機能（アンチコリジョン機能）を有しているものを用いればよい。
【００４４】
上記構成の発明１の実施形態においては次のような効果を奏する。
（１）ＲＦＩＤタグ６０は、カバー体２０とベース体３０との拘束状態では、ワンウェイねじ５３によって密閉された空間（貫通孔５４及び有底穴５６の連続する空間）内に存在することとなる。したがって、この状態では、ＲＦＩＤタグ６０が外部に露出せず、よって外部からＲＦＩＤタグ６０へのアクセスが困難となるので、例えば遊技機用基板ケース１０の組立時や搬送時等における損傷や悪戯を防止できる。
【００４５】
（２）ロック機構５０の解放操作（ワンウェイねじ５３の螺進）に直接関連付けてＲＦＩＤタグ６０を破壊することができるので、遊技機用基板ケース１０の開封時におけるＲＦＩＤタグ６０の破壊を確実とすることができる。
【図１】
2010137109.tif 000003
【図２】
2010137109.tif 000004
【図３】
2010137109.tif 000005
【図４】
2010137109.tif 000006
【図５】
2010137109.tif 000007